(57)【要約】【課題】建具に設置する子機に電池を内蔵させなくとも，建具の開閉状態を自動で判定できる防犯警報装置を提供する。【解決手段】本実施形態に係る防犯警報装置１は，窓２の開閉部に取り付けるＲＦタグ１０と，ＲＦタグ１０と無線通信する警報装置１１を備え，警報装置１１は，ＲＦタグ１０との無線通信に用いるリーダライタアンテナ１１２を有し，ＲＦタグ１０に電力を供給する搬送波を送出し，ＲＦタグ１０が送出した電波の受信状況を取得する処理を行うリーダライタ部１１１と，ＲＦタグ１０が送出した電波の受信状況をリーダライタ部１１１から取得して，電波を送出したＲＦタグ１０を取り付けた窓２の開閉状態を判定する処理を行う警報制御部１１０を備えている。【選択図】図１
2019061305.tif 000002
【特許請求の範囲】
【請求項１】
建具の開閉部に取り付けるＲＦタグと，前記ＲＦタグと無線通信する警報装置を備え，
前記警報装置は，前記ＲＦタグとの無線通信に用いるアンテナを有し，前記ＲＦタグに電力を供給する搬送波を送出し，前記ＲＦタグが送出した電波の受信状況を取得する処理を行うリーダライタ部と，前記ＲＦタグが送出した電波の受信状況を前記リーダライタ部から取得して，電波を送出したＲＦタグを取り付けた建具の開閉状態を判定する処理を行う警報制御部を備えている，ことを特徴とする防犯警報装置。
【請求項２】
前記警報装置の前記リーダライタ部は，前記ＲＦタグが送出した電波を受信したときの受信電波強度を受信状況として取得し，前記警報装置の前記警報制御部は，建具の開閉状態を判定する処理として，建具が閉状態のときの受信電波強度と前記リーダライタ部が取得した受信電波強度の差分を算出し，この差分が閾値以上の場合，前記ＲＦタグを取り付けた建具が開状態になったと判定する処理を行う，ことを特徴とする，
請求項１に記載した防犯警報装置。
【請求項３】
開状態または閉状態のいずれか一つの状態で，前記ＲＦタグに届く搬送波を遮断するように配置した電波遮断部材を備え，
前記ＲＦタグは，タグ識別子を読み出すコマンドを受信すると，前記ＲＦタグが記憶しているタグ識別子を載せた電波を送出し，
前記警報装置の前記リーダライタ部は，前記コマンドを載せた搬送波を送出した後，前記ＲＦタグが送出した電波の受信状況として，この電波に載せられているタグ識別子を取得し，前記警報装置の前記警報制御部は，前記警報制御部に登録されているタグ識別子を取得できたか否かにより，建具の開閉状態を判定する処理を行う，ことを特徴とする，
請求項１に記載した防犯警報装置。
【請求項４】
前記電波遮断部材は，前記ＲＦタグを取り付けた建具が閉状態のとき，前記ＲＦタグに届く搬送波を遮断するように配置されており，
前記警報装置の前記リーダライタ部は，前記ＲＦタグが送出した電波に載せられているタグ識別子を受信状況として取得し，前記警報制御部は，建具の開閉状態を判定する処理として，前記警報制御部に登録されているタグ識別子を前記リーダライタ部が取得すると，前記ＲＦタグを取り付けた建具が開状態になったと判定する処理を行う，ことを特徴とする，
請求項３に記載した防犯警報装置。
【請求項５】
前記電波遮断部材は，前記ＲＦタグを取り付けた建具が開状態のとき，前記ＲＦタグに届く搬送波を遮断するように配置されており，
前記警報装置の前記リーダライタ部は，前記ＲＦタグが送出した電波に載せられているタグ識別子を受信状況として取得し，前記警報制御部は，建具の開閉状態を判定する処理として，前記警報制御部に登録されているタグ識別子を前記リーダライタ部が取得しない場合，前記ＲＦタグを取り付けた建具が開状態になったと判定する処理を行う，ことを特徴とする，請求項３に記載した防犯警報装置。
【発明の詳細な説明】
【技術分野】
【０００１】
本発明は，住居などの建屋に設けられた窓や扉などの建具の開閉を自動で検知して警報音を報知する防犯警報装置に係る発明である。
【背景技術】
【０００２】
住居などの建屋に設けられた窓や扉などの建具の開閉を自動で検知して警報音を報知する従来の防犯警報装置は，建具の開閉検知に用いるセンサを内蔵した子機と，子機と無線通信する親機とから少なくとも構成されている。
【０００３】
建具の開閉検知に用いるセンサとしては磁気センサを用いるのが一般的で，特許文献１で開示された防犯警報装置の子機は，建具の開閉を自動で検知するセンサとして，建具に取けられたマグネットによって生じる磁力を測定する磁気センサを内蔵する。特許文献１で開示された防犯警報装置の子機は，磁力の測定結果を無線通信により防犯警報装置の親機へ送信し，防犯警報装置の親機は，建具が開くことによって生じる磁力の変化を利用して，建具が開いたことを自動で検知する。
【０００４】
上述した従来の防犯警報装置では，警報音を報知する親機に加えて，磁気センサなどのセンサを内蔵した子機にも電源が必要になる。防犯警報装置の親機は，親機の設置場所は任意に決定できるため，建屋の分電盤から電力を供給できるが，窓や扉に設置される防犯警報装置の子機は，建具の開閉部に設置するため，特許文献２に記載があるように，子機は電池を内蔵するのが一般的になっている。
【先行技術文献】
【特許文献】
【０００５】
【特許文献１】特開２０１１−３１６８号公報
【特許文献２】特開２０１１−３１６７号公報
【発明の概要】
【発明が解決しようとする課題】
【０００６】
しかしながら，電力を供給する電池を子機に内蔵させる形態の防犯警報装置には，子機が内蔵している電池の電力が枯渇した場合，防犯警報装置が正常動作しなくなる問題がある。
【０００７】
そこで，本発明は，窓や扉などの建具に設置する子機に電池を内蔵させなくとも，窓や扉などの建具の開閉状態を自動で判定できる防犯警報装置を提供することを目的とする。
【課題を解決するための手段】
【０００８】
上述した課題を解決する本発明は，建具の開閉部に取り付けるＲＦタグと，前記ＲＦタグと無線通信する警報装置を備えた防犯警報装置である。本発明に係る前記警報装置は，上述した課題を解決するために，前記ＲＦタグとの無線通信に用いるアンテナを有し，前記ＲＦタグに電力を供給する搬送波を送出し，前記ＲＦタグが送出した電波の受信状況を取得する処理を行うリーダライタ部と，前記ＲＦタグが送出した電波の受信状況を前記リーダライタ部から取得して，電波を送出したＲＦタグを取り付けた建具の開閉状態を判定する処理を行う警報制御部を備えていることを特徴とする防犯警報装置である。
【０００９】
前記ＲＦタグが送出した電波の受信状況としては，前記ＲＦタグが送出した電波を受信したときの受信電波強度を利用できる。前記ＲＦタグが送出した電波を受信したときの受信電波強度を用いる場合，本発明に係る前記警報装置の前記リーダライタ部は，前記ＲＦタグが送出した電波を受信したときの受信電波強度を受信状況として取得し，本発明に係る前記警報装置の前記警報制御部は，建具の開閉状態を判定する処理として，建具が閉状態のときの受信電波強度と前記リーダライタ部が取得した受信電波強度の差分を算出し，この差分が閾値以上の場合，前記ＲＦタグを取り付けた建具が開状態になったと判定する処理を行う。
【００１０】
前記ＲＦタグが送出した電波の受信状況としては，この電波に載せられているタグ識別子の受信状況を利用できる。前記ＲＦタグが送出した電波に載せられているタグ識別子の受信状況を用いる場合，本発明に係る防犯警報装置は，開状態または閉状態のいずれか一つの状態で，前記ＲＦタグに届く搬送波を遮断するように配置した電波遮断部材を備える。また，本発明に係る前記ＲＦタグは，タグ識別子を読み出すコマンドを受信すると，前記ＲＦタグが記憶しているタグ識別子を載せた電波を送出し，本発明に係る前記警報装置の前記リーダライタ部は，前記コマンドを載せた搬送波を送出した後，前記ＲＦタグが送出した電波の受信状況として，この電波に載せられているタグ識別子を取得し，本発明に係る前記警報装置の前記警報制御部は，前記警報制御部に登録されているタグ識別子を取得できたか否かにより，建具の開閉状態を判定する処理を行う。
【００１１】
前記ＲＦタグを取り付けた建具が閉状態のとき，前記ＲＦタグに届く搬送波を遮断するように前記電波遮断部材を配置した場合，本発明に係る前記警報装置の前記リーダライタ部は，前記ＲＦタグが送出した電波に載せられているタグ識別子を受信状況として取得し，前記警報制御部は，建具の開閉状態を判定する処理として，前記警報制御部に登録されているタグ識別子を前記リーダライタ部が取得すると，前記ＲＦタグを取り付けた建具が開状態になったと判定する処理を行う。また，前記ＲＦタグを取り付けた建具が開状態のとき，前記ＲＦタグに届く搬送波を遮断するように前記電波遮断部材を配置した場合，本発明に係る前記警報装置の前記リーダライタ部は，前記ＲＦタグが送出した電波に載せられているタグ識別子を受信状況として取得し，前記警報制御部は，建具の開閉状態を判定する処理として，前記警報制御部に登録されているタグ識別子を前記リーダライタ部が取得しない場合，前記ＲＦタグを取り付けた建具が開状態になったと判定する処理を行う。
【発明の効果】
【００１２】
上述した本発明に係る防犯警報装置は，窓や扉などの建具に設置する子機に電池を内蔵させなくとも，建具の開閉状態を自動で判定して警報音を報知できるように，搬送波により電力が供給されるＲＦタグを建具の開閉部に取り付け，ＲＦタグが送出した電波の受信状況から，建具の開閉状態を自動で判定する機能を備えている。
【図面の簡単な説明】
【００１３】
【図１】本実施形態に係る防犯警報装置の構成を説明する図。
【図２】本実施形態に係る防犯警報装置のブロック図。
【図３】防犯警報装置が備える警報制御部の基本動作を説明する図。
【図４】窓の開閉状態と受信電波強度の関係を説明する図。
【図５】実施例１における，窓の開閉状態を判定する処理を説明する図。
【図６】実施例２における電波遮断部材の配置状態を説明する図。
【図７】実施例２における，窓の開閉状態を判定する処理を説明する図。
【図８】実施例３における電波遮断部材の配置状態を説明する図。
【図９】実施例３における，窓の開閉状態を判定する処理を説明する図。
【発明を実施するための形態】
【００１４】
ここから，本発明の好適な実施形態を記載する。なお，以下の記載は本発明の技術的範囲を束縛するものでなく，理解を助けるために記述するものである。
【００１５】
図１は，本実施形態に係る防犯警報装置１の構成を説明する図である。本実施形態に係る防犯警報装置１は，無線による個体識別で用いられるＲＦタグ１０を利用して，住居などの建屋に設けられた扉などの建具の開閉状態を自動で判定して警報音を報知するように構成した装置である。
【００１６】
図１では，建具を窓２として図示しており，本実施形態に係る防犯警報装置１は，窓２の開閉部に取り付けるＲＦタグ１０と，ＲＦタグ１０との通信状況を利用して窓２の開閉状態を判定し，開状態と判定すると警報を報知する警報装置１１を備える。
【００１７】
本実施形態に係る防犯警報装置１において，ＲＦタグ１０は，窓２の開閉部に取り付けるデバイスで，警報装置１１は，窓２から離れた場所に固定した状態で取り付けられる装置である。図１では，建屋の部屋に設けられた窓２を，内側になる内窓２０と外側になる外窓２１の２つを開閉部とし有し，内窓２０と外窓２１をクレセント錠２２により施錠できる引き違い窓にしており，引き違い窓である窓２の開閉部となる内窓２０と外窓２１それぞれにＲＦタグ１０を取り付けている。
【００１８】
窓２の開閉部であればＲＦタグ１０を取り付ける位置は任意でよいが，本実施形態では，内窓２０と外窓２１それぞれにおいて，引手側２３の天井に近い位置にＲＦタグ１０を取り付けている。なお，天井に近い位置にＲＦタグ１０を取り付けているのは，人の手がＲＦタグ１０に届きにくいからである。警報装置１１は，窓２の開閉部に取り付けたＲＦタグ１０と無線通信可能な位置に取り付けられる。図１では，内窓２０と外窓２１それぞれに取り付けたＲＦタグ１０と無線通信できる位置として，窓２が設けられていない壁に警報装置１１を固定して取り付けている。
【００１９】
本実施形態に係る防犯警報装置１の詳細を説明する。図２は，本実施形態に係る防犯警報装置１のブロック図である。
【００２０】
本実施形態に係る防犯警報装置１のＲＦタグ１０は市販品（汎用品）を利用できる。ＲＦタグ１０の種類には，内蔵電池から供給される電力により動作するアクティブ型もあるが，本実施形態では，リーダライタからの搬送波により動作するパッシブ型にしている。パッシブ型のＲＦタグ１０に係る通信方式には，磁界を利用して電力供給とデータ転送を行う電磁誘導方式もあるが，本実施形態では，ＵＨＦ帯(952.2〜953.8MHｚ帯)の搬送波を利用して電力供給とデータ転送を行う電波方式にしている。
【００２１】
ＵＨＦ帯(952.2〜953.8MHｚ帯)の電波を利用して電力供給とデータ転送を行えるように，本実施形態に係る防犯警報装置１のＲＦタグ１０は，２つの放射素子と給電回路を有するタグアンテナ１０１と，タグアンテナ１０１の給電回路と接続したＩＣチップ１００を内蔵している。ＲＦタグ１０に内蔵されたＩＣチップ１００は，ＲＦタグ１０の識別に用いるタグ識別子を記憶し，タグ識別子を読み出すコマンド（例えば，リードコマンド）を変調して載せた搬送波を受信すると，タグアンテナ１０１を利用して，ＩＣチップ１００が記憶しているタグ識別子を変調して載せた電波を送出する。
【００２２】
なお，アルミ製の窓サッシにガラスをはめ込んだ構成の窓の場合，アルミ製のサッシにＲＦタグ１０を取り付けると，アルミ製の窓サッシの影響によりＲＦタグ１０の通信特性が著しく損なわれるため，アルミ製の窓サッシにＲＦタグ１０を取り付ける場合，アルミ製の窓サッシとＲＦタグ１０の間にフェライトなどの磁性体を設けるなどの工夫が必要になる。
【００２３】
本実施形態に係る防犯警報装置１の警報装置１１は，ＲＦタグ１０に電力を供給する搬送波の送出やＲＦタグ１０が送信した電波の受信に用いるリーダライタアンテナ１１２と，変調・復調など，無線通信に係る処理を実行するリーダライタ部１１１と，プロセッサやメモリなどで構成される警報制御部１１０と，警報を報知する警報部１１３を備えている。
【００２４】
ＲＦタグ１０との無線通信周波数をＵＨＦ帯にする場合，ダイポールアンテナや平面アンテナがリーダライタ部１１１のリーダライタアンテナ１１２に用いられる。防犯警報装置１のリーダライタ部１１１は，ＲＦタグ１０に電力を供給する搬送波を送出した後，ＲＦタグ１０からタグ識別子を読み出すコマンドを変調して載せた搬送波を送出する。また，防犯警報装置１のリーダライタ部１１１は，ＲＦタグ１０が送出した電波を受信すると，ＲＦタグ１０が送出した電波の受信状況を取得する処理を行い，ＲＦタグ１０が送出した電波の受信状況を警報制御部１１０へ引き渡す。
【００２５】
防犯警報装置１の警報装置１１が備える警報部１１３は，窓２が閉状態から開状態になったことを知らせる警報を報知するデバイスで，本実施形態に係る警報部１１３は，窓２が閉状態から開状態になったことを知らせるサイレン音を鳴動する。
【００２６】
ここから，防犯警報装置１の警報装置１１が備える警報制御部１１０の動作を説明する。図３は，防犯警報装置１が備える警報制御部１１０の基本動作を説明する図である。
【００２７】
防犯警報装置１の警報装置１１が備える警報制御部１１０は，ＲＦタグ１０との通信状況を利用して窓２の開閉状態を判定し，開状態と判定すると警報を報知する処理を実行する際，リーダライタ部１１１を作動させて，ＲＦタグ１０に電力を供給する搬送波を送出した後，窓２が開状態になったと判定するまで，図３で図示した手順を繰り返して実行する。
【００２８】
図３で図示した手順において，警報装置１１の警報制御部１１０は，まず，リーダライタ部１１１を利用して，ＲＦタグ１０に記憶されているタグ識別子を読み取るコマンドを変調して載せた搬送波を送出する処理を行った後（Ｓ１），コマンドを受信したＲＦタグ１０が送出した電波の受信状況を利用して，電波を送出したＲＦタグ１０を取り付けている窓２の開閉状態を判定する処理を行い（Ｓ２），窓２の開閉状態の判定結果に応じて処理を分岐する（Ｓ３）。警報装置１１の警報制御部１１０は，窓２の開閉状態の判定結果が閉状態の場合，警報を報知させることなく，図３で図示した手順は終了し，警報装置１１の警報制御部１１０は，窓２の開閉状態の判定結果が開状態の場合，警報部１１３を作動させて警報を報知する処理を行ってから（Ｓ４），図３で図示した手順は終了する。
【００２９】
図３のステップＳ１において，警報装置１１の警報制御部１１０がコマンドを送出すると，警報装置１１が送出している搬送波により電力が供給されて起動しているＲＦタグ１０は，ＲＦタグ１０が記憶しているタグ識別子を変調して載せた電波を送出する。図３のステップＳ２において，警報装置１１のリーダライタ部１１１が，ＲＦタグ１０が送出した電波から取得するデータとしては，ＲＦタグ１０が送出した電波に載せられているタグ識別子や，ＲＦタグ１０が送出した電波を警報装置１１が受信したときの電波強度である受信電波強度が考えられる。
【００３０】
なお，複数のＲＦタグ１０（本実施形態では２つ）を利用する場合，警報装置１１のリーダライタ部１１１はアンチコリジョンに係る処理を実行し，警報装置１１の警報制御部１１０は，複数のＲＦタグ１０それぞれについて，ＲＦタグ１０が送出した電波の受信状況を利用して，電波を送出したＲＦタグ１０を取り付けている窓２の開閉状態を判定する処理を実行する。
【００３１】
ここから，窓２の開閉状態を判定する処理の実施例について幾つか説明する。
【００３２】
［実施例１］
窓２の開閉状態を判定する処理の実施例１について説明する。窓２の開閉状態を判定する処理の実施例１は，ＲＦタグ１０が送出した電波を警報装置１１が受信したときの電波強度である受信電波強度を利用して窓２の開閉状態を判定する実施例である。
【００３３】
図４は，窓２の開閉状態と受信電波強度の関係を説明する図である。実施例１において，防犯警報装置１の構成は図１と同じである。図１のように，ＲＦタグ１０と警報装置１１を取り付けることで，警報装置１１の位置は窓２の開閉により変化しないが，ＲＦタグ１０の位置は窓２の開閉により変化するので，結果として，ＲＦタグ１０と警報装置１１間の距離は窓２の開閉により変化する。
【００３４】
図４（ａ）は，外窓２１の開閉状態と受信電波強度の関係を説明する図で，外窓２１の開閉状態が閉状態から開状態になると，ＲＦタグ１０と警報装置１１間の距離は，閉状態のときの距離であるＬｏ１から，Ｌｏ１よりも短いＬｃ１に変化する。ＲＦタグ１０が送出する電波の電波強度は一定であるため，ＲＦタグ１０と警報装置１１間の距離が長くなるほど，ＲＦタグ１０が送出した電波を警報装置１１が受信したときの受信電波強度は小さくなる。外窓２１が閉状態から開状態になると，ＲＦタグ１０と警報装置１１間の距離は短くなるので，ＲＦタグ１０が送出した電波を警報装置１１が受信したときの受信電波強度は，外窓２１が閉状態のときよりも，外窓２１が開状態になったときの方が大きくなる。
【００３５】
図４（ｂ）は，内窓２０の開閉状態と受信電波強度の関係を説明する図で，内窓２０の開閉状態が，外窓２１が閉状態から開状態になると，ＲＦタグ１０と警報装置１１間の距離は，閉状態のときの距離であるＬｏ２から，Ｌｏ２よりも長いＬｃ２に変化する。よって，内窓２０が閉状態から開状態になると，ＲＦタグ１０と警報装置１１間の距離は長くなるので，ＲＦタグ１０が送出した電波を警報装置１１が受信したときの受信電波強度は，内窓２０が閉状態のときよりも，内窓２０が開状態になったときの方が小さくなる。
【００３６】
このように，内窓２０および外窓２１にかかわらず，窓２が閉状態から開状態になると，ＲＦタグ１０が送出した電波を警報装置１１が受信したときの受信電波強度は変化するので，実施例１に係る警報装置１１のリーダライタ部１１１は，ＲＦタグ１０が送出した電波の受信状況として，ＲＦタグ１０が送出した電波に載せられたタグ識別子に加え，ＲＦタグ１０が送出した電波を警報装置１１が受信したときの受信電波強度を少なくとも取得し，タグ識別子と受信電波強度を用いて窓２の開閉状態を判定する。
【００３７】
実施例１における，窓２の開閉状態を判定する処理について説明する。図５は，実施例１における，窓２の開閉状態を判定する処理を説明する図である。
【００３８】
警報装置１１の警報制御部１１０は，まず，ＲＦタグ１０が送出した電波に載せられたタグ識別子が防犯警報装置１のＲＦタグ１０に記憶されたタグ識別子であるか否かを判定する処理を実行する（Ｓ１０）。タグ識別子を判定できるように，実施例１に係る警報装置１１の警報制御部１１０には，防犯警報装置１で用いるＲＦタグ１０が記憶しているタグ識別子が予め登録されている。本実施形態では，内窓２０と外窓２１それぞれにＲＦタグ１０を取り付けているため，内窓２０に取り付けたＲＦタグ１０が記憶しているタグ識別子と，外窓２１に取り付けたＲＦタグ１０が記憶しているタグ識別子が警報装置１１の警報制御部１１０に登録されている。
【００３９】
警報装置１１の警報制御部１１０は，タグ識別子の判定結果に応じて処理を分岐する（Ｓ１１）。ＲＦタグ１０が送出した電波に載せられたタグ識別子が，警報制御部１１０に予め登録されているタグ識別子でないと判定した場合，警報装置１１の警報制御部１１０は，防犯警報装置１に係わらないタグ識別子と判定し，窓２の開閉状態を判定することなく，図３の手順は終了し，ＲＦタグ１０が送出した電波に載せられたタグ識別子が，警報制御部１１０に予め登録されたタグ識別子であると判定した場合，警報装置１１の警報制御部１１０は，受信電波強度の差分が閾値以上であるか判定する処理を実行する（Ｓ１２）。
【００４０】
実施例１に係る警報装置１１の警報制御部１１０は，窓２が閉状態のときの受信電波強度を記憶し，窓２の開閉状態の判定に用いる閾値を記憶する。図１では，内窓２０と外窓２１それぞれにＲＦタグ１０を取り付けているため，実施例１に係る警報装置１１の警報制御手段は，内窓２０に貼り付けたＲＦタグ１０が記憶しているタグ識別子に対応付けて，内窓２０が閉状態のときの受信電波強度を記憶し，更に，外窓２１に貼り付けたＲＦタグ１０が記憶しているタグ識別子に対応付けて，外窓２１が閉状態のときの受信電波強度を記憶する。なお，窓２の開閉状態の判定に用いる閾値を，内窓２０と外窓２１それぞれにおいて開状態を判定できる値にすれば，窓２の開閉状態の判定に用いる閾値は一つでよい。
【００４１】
実施例１に係る警報装置１１の警報制御部１１０は，図３のステップＳ１２において，ＲＦタグ１０が送出した電波に載せられたタグ識別子に対応する閉状態のときの受信電波強度と，ＲＦタグ１０が送出した電波を警報装置１１が受信したときの受信電波強度の差分を算出し，この差分が閾値以上であるか判定する。
【００４２】
実施例１に係る警報装置１１の警報制御部１１０は，受信電波強度の判定結果に応じて処理を分岐する（Ｓ１３）。受信電波強度の差分が閾値未満の場合，実施例１に係る警報装置１１の警報制御部１１０は，タグ識別子を載せた電波を送出したＲＦタグ１０を取り付けた窓２は閉状態であると判定して（Ｓ１４），図５の手順は終了し，受信電波強度の差分が閾値以上の場合，実施例１に係る警報装置１１の警報制御部１１０は，タグ識別子を載せた電波を送出したＲＦタグ１０を取り付けた窓２は開状態であると判定して（Ｓ１５），図５の手順は終了する。
【００４３】
上述した実施例１では，タグ識別子と受信電波強度を利用して，ＲＦタグ１０を取り付けた窓２の開閉状態を判定していたが，開状態または閉状態のいずれか一つの状態で，ＲＦタグ１０に届く搬送波を遮断するように配置した電波遮断部材を防犯警報装置１の構成に加えさせ，ＲＦタグ１０が送出する電波の有無を利用しても，窓２の開閉状態を判定できる。ここから，ＲＦタグ１０が送出する電波の有無により窓２の開閉状態を判定する実施例について説明する。
【００４４】
［実施例２］
ＲＦタグ１０が送出する電波の有無により窓２の開閉状態を判定する実施例２について説明する。実施例２では，窓２に取り付けたＲＦタグ１０が送出した電波を警報装置１１が受信すると，警報装置１１は，電波を送出したＲＦタグ１０を取り付けた窓２の少なくとも１つが開状態であると判定するように構成している。
【００４５】
図６は，実施例２における電波遮断部材１２の配置状態を説明する図で，図６（ａ）は，窓２が閉状態にあるときの状況を説明する図で，図６（ｂ）は，窓２が閉状態にあるときの状況を説明する図である。
【００４６】
図６（ａ），（ｂ）で図示したように，実施例２では，ＲＦタグ１０を取り付けた窓２が閉状態のとき，ＲＦタグ１０と警報装置１１間の無線通信を阻害するように電波遮断部材１２を配置している。このように，電波遮断部材１２を配置することで，窓２が開状態になると，窓２に取り付けたＲＦタグ１０は電波を送出する。電波遮断部材１２には，電波の遮蔽機能を有する材料を用いることができる。比重が比較的軽いアルミ板を電波遮断部材１２に用いることが好適である。
【００４７】
図６で図示したように電波遮断部材１２を取り付けることで，図６（ａ）で図示したように，窓２が閉状態の場合，警報装置１１が送出する搬送波は，電波遮断部材１２で阻害されて，窓２に貼り付けたＲＦタグ１０に届かないため，窓２に貼り付けたＲＦタグ１０は，タグ識別子を変調して載せた電波を送出せず，警報装置１１のリーダライタ部１１１は，ＲＦタグ１０が送出した電波を受信できない。これに対し，窓２が開状態の場合，警報装置１１が送出する搬送波は，窓２に貼り付けたＲＦタグ１０に届くため，窓２に貼り付けたＲＦタグ１０は，タグ識別子を変調して載せた電波を送出し，警報装置１１のリーダライタ部１１１は，ＲＦタグ１０が送出した電波を受信できる。
【００４８】
なお，図６では，外窓２１の場合についてのみ記載しているが，内窓２０についても同じように構成できる。
【００４９】
実施例２における，窓２の開閉状態を判定する処理について説明する。図７は，実施例２における，窓２の開閉状態を判定する処理を説明する図である。
【００５０】
警報装置１１のリーダライタ部１１１は，コマンドを受信したＲＦタグ１０が送出した電波の受信状況として，コマンドを受信したＲＦタグ１０が送出した電波に載せられたタグ識別子を取得する（Ｓ２０）。
【００５１】
警報装置１１の警報制御部１１０は，リーダライタ部１１１がタグ識別子を取得できたか否かを判定する処理を実行し（Ｓ２１），この判定結果に応じて処理を分岐する（Ｓ２２）。リーダライタ部１１１がタグ識別子を一つも取得できない場合，窓２に貼り付けたいずれのＲＦタグ１０にも搬送波が届いてないことになるため，ＲＦタグ１０を貼り付けた窓２は全て閉状態と判定して（Ｓ２６），図７の手順は終了する。
【００５２】
また，リーダライタ部１１１が少なくとも１つのタグ識別子を取得できた場合，警報装置１１の警報制御部１１０は，リーダライタ部１１１が取得したタグ識別子が警報装置１１の警報制御部１１０に登録されているか否かを判定する処理を実行し（Ｓ２３），この判定結果に応じて処理を分岐する（Ｓ２４）。なお，実施例１と同様に，実施例２に係る警報装置１１の警報制御部１１０にも，防犯警報装置１で用いるＲＦタグ１０が記憶しているタグ識別子が予め登録されている。
【００５３】
リーダライタ部１１１が取得したタグ識別子のいずれもが警報装置１１の警報制御部１１０に登録されていない場合，窓２の開閉状態の判定に関係ないタグ識別子を受信したことになるので，警報装置１１の警報制御部１１０は，窓２の開閉状態は全て閉状態と判定して（Ｓ２５），図７の手順は終了する。また，リーダライタ部１１１が取得したタグ識別子の中に，警報装置１１の警報制御部１１０に予め登録されているタグ識別子が１つでもあれば，窓２に取り付けたＲＦタグ１０の少なくとも１つには搬送波が届いていることになるため，警報装置１１の警報制御部１１０は，ＲＦタグ１０を貼り付けた窓２が開状態になっていると判定し（Ｓ２６），図７の手順は終了する。
【００５４】
［実施例３］
ＲＦタグ１０が送出する電波の有無により窓２の開閉状態を判定する実施例３について説明する。実施例３では，窓２に取り付けたＲＦタグ１０が送出した電波を警報装置１１が受信できなくなると，警報装置１１は，電波を送出したＲＦタグ１０を取り付けた窓２の少なくとも１つが開状態であると判定するように構成している。
【００５５】
図８は，実施例３における電波遮断部材１３の配置状態を説明する図で，図８（ａ）は，窓２が閉状態にあるときの状況を説明する図で，図８（ｂ）は，窓２が閉状態にあるときの状況を説明する図である。
【００５６】
図８（ａ），（ｂ）で図示したように，実施例３では，ＲＦタグ１０を取り付けた窓２が開状態のとき，ＲＦタグ１０と警報装置１１間の無線通信を阻害するように帯状の電波遮断部材１３を配置している。このように，電波遮断部材１３を配置することで，開状態になった窓２に取り付けたＲＦタグ１０が電波を送出する。電波遮断部材１３には，電波の遮蔽機能を有する材料を用いることができる。比重が比較的軽いアルミ板を電波遮断部材に用いることが好適である。
【００５７】
図８で図示したように電波遮断部材１３を取り付けることで，窓２が閉状態の場合，警報装置１１が送出する搬送波は，窓２に貼り付けたＲＦタグ１０に届き，窓２に貼り付けたＲＦタグ１０は，タグ識別子を変調して載せた電波を送出し，警報装置１１のリーダライタ部１１１は，ＲＦタグ１０が送出した電波を受信できる。これに対し，窓２が開状態の場合，警報装置１１が送出する搬送波は，窓２に貼り付けたＲＦタグ１０に届かないため，窓２に貼り付けたＲＦタグ１０は，タグ識別子を変調して載せた電波を送出せず，警報装置１１のリーダライタ部１１１は，ＲＦタグ１０が送出した電波を受信できない。
【００５８】
なお，図８では，外窓２１の場合についてのみ記載しているが，内窓２０についても同じように構成できる。
【００５９】
実施例３における，窓２の開閉状態を判定する処理について説明する。図９は，実施例３における，窓２の開閉状態を判定する処理を説明する図である。
【００６０】
警報装置１１のリーダライタ部１１１は，コマンドを受信したＲＦタグ１０が送出した電波の受信状況として，コマンドを受信したＲＦタグ１０が送出した電波に載せられたタグ識別子を取得する（Ｓ３０）。
【００６１】
警報装置１１の警報制御部１１０は，警報装置１１の警報制御部１１０に登録されているタグ識別子すべてをリーダライタ部１１１が取得したか否かを判定する処理を実行し（Ｓ３１），この判定結果に応じて処理を分岐する（Ｓ３２）。なお，実施例１，２と同様に，実施例３に係る警報装置１１の警報制御部１１０にも，防犯警報装置１で用いるＲＦタグ１０が記憶しているタグ識別子が予め登録されている。
【００６２】
警報装置１１の警報制御部１１０に登録されているタグ識別子すべてをリーダライタ部１１１が取得している場合，窓２に貼り付けたＲＦタグ１０のすべてに搬送波が届いていることになり，警報装置１１の警報制御部１１０は，ＲＦタグ１０を貼り付けた窓２は全て閉状態と判定して（Ｓ３３），図９の手順は終了する。
【００６３】
また，リーダライタ部１１１がタグ識別子を一つも取得できない場合も含み，警報装置１１の警報制御部１１０に登録されているタグ識別子すべてをリーダライタ部１１１が取得してない場合，窓２に貼り付けたＲＦタグ１０の少なくとも１つに搬送波が届いていないことになり，ＲＦタグ１０を貼り付けた窓２の少なくとも１つは開状態と判定して（Ｓ３４），図９の手順は終了する。
【符号の説明】
【００６４】
１    防犯警報装置
１０  ＲＦタグ
１１  警報装置
１１０  警報制御部
１１１  リーダライタ部
１１２  リーダライタアンテナ
１１３  警報部
２    窓
２０  内窓
２１  外窓
【図１】
2019061305.tif 000003
【図２】
2019061305.tif 000004
【図３】
2019061305.tif 000005
【図４】
2019061305.tif 000006
【図５】
2019061305.tif 000007
【図６】
2019061305.tif 000008
【図７】
2019061305.tif 000009
【図８】
2019061305.tif 000010
【図９】
2019061305.tif 000011